(57)【要約】【課題】本発明は、複数枚のマットスイッチの並設した場合の不感知領域の検出感度をマットスイッチ本来の検出感度と同等とすることができるマットスイッチの継目感知構造を提供する。【解決手段】本発明に係るマットスイッチの継目感知構造は、複数の感知素子２を間隔を隔て列設状態で内蔵した複数枚のマットスイッチ１を接合しつつ並設した状態で生じる各マットスイッチ１同士の継目領域に外部から作用する外力を感知するマットスイッチ１の継目感知構造であって、各マットスイッチ１同士の継目領域を中央にしてその両側に延在され、継目領域近傍に位置する各マットスイッチ１の感知素子２に外部からの外力を伝達する分割配置の複数の外力作用部材３と、複数の外力作用部材３同士を連結する連結部材５と、連結部材５をマットスイッチ１の周辺部で固定する固定部材６とを備えたものである。【選択図】図１
2008159424.tif 000002
【特許請求の範囲】
【請求項１】
各々複数の感知素子を間隔を隔て列設状態で内蔵した複数枚のマットスイッチを接合しつつ並設した状態で生じる各マットスイッチ同士の継目領域に外部から作用する外力を感知するマットスイッチの継目感知構造であって、
前記各マットスイッチ同士の継目領域を中央にしてその両側に延在され、継目領域近傍に位置する各マットスイッチの感知素子に前記外部からの外力を伝達する分割配置の複数の外力作用部材を備えたことを特徴とするマットスイッチの継目感知構造。
【請求項２】
各々複数の感知素子を間隔を隔て列設状態で内蔵した複数枚のマットスイッチを接合しつつ並設した状態で生じる各マットスイッチ同士の継目領域に外部から作用する外力を感知するマットスイッチの継目感知構造であって、
前記各マットスイッチ同士の継目領域を中央にしてその両側に延在され、継目領域近傍に位置する各マットスイッチの感知素子に前記外部からの外力を伝達する複数種の寸法の中から選定される分割配置の複数の外力作用部材と、
複数の外力作用部材同士を連結する連結部材と、
連結部材をマットスイッチの周辺部で固定する固定部材と、
を備えたことを特徴とするマットスイッチの継目感知構造。
【請求項３】
各々複数の感知素子を間隔を隔て列設状態で内蔵した４枚のマットスイッチを接合しつつ並設した状態で生じる各マットスイッチ同士の辺部又は隣り合う４個の隅部の接合部分における継目領域に外部から作用する外力を感知するマットスイッチの継目感知構造であって、
前記各マットスイッチ同士の辺部の継目領域を中央にしてその両側に延在され、継目領域近傍に位置する各マットスイッチの感知素子に前記外部からの外力を伝達する複数種の寸法の中から選定される分割配置の複数の外力作用部材と、
複数の外力作用部材同士を連結する連結部材と、
前記各マットスイッチ同士の４個の隅部の接合部分の上部に配置され、４個の隅部の接合部分近傍に位置する各マットスイッチの感知素子に前記外部からの外力を伝達するとともに、前記連結部材の一端側を固定する複数種の寸法の中から選定される隅部外力作用部材と、
前記連結部材をマットスイッチの周辺部で固定する固定部材と、
を備えたことを特徴とするマットスイッチの継目感知構造。
【請求項４】
各々複数の感知素子を間隔を隔て列設状態で内蔵した３枚のマットスイッチを接合しつつ並設した状態で生じる各マットスイッチ同士の辺部又は２枚のマットスイッチの隅部と１枚のマットスイッチの辺部との接合部分における継目領域に外部から作用する外力を感知するマットスイッチの継目感知構造であって、
前記各マットスイッチ同士の辺部の継目領域を中央にしてその両側に延在され、継目領域近傍に位置する各マットスイッチの感知素子に前記外部からの外力を伝達する複数種の寸法の中から選定される分割配置の複数の外力作用部材と、
複数の外力作用部材同士を連結する連結部材と、前記２枚のマットスイッチの隅部と１枚のマットスイッチの辺部との接合部分の上部に配置され、この接合部分の近傍に位置する各マットスイッチの感知素子に前記外部からの外力を伝達するとともに、前記連結部材の一端側を固定する複数種の寸法の中から選定される隅部外力作用部材と、
前記連結部材をマットスイッチの周辺部で固定する固定部材と、
を備えたことを特徴とするマットスイッチの継目感知構造。
【請求項５】
各々複数の感知素子を間隔を隔て列設状態で内蔵した複数枚のマットスイッチを接合しつつ並設した状態で生じる各マットスイッチ同士の継目領域に外部から作用する外力を感知するマットスイッチの継目感知構造であって、
前記各マットスイッチ同士の継目領域上から作用する外力をこの継目領域近傍に位置する各マットスイッチの感知素子に伝達する分割配置の複数の外力作用部材を、継目の両側の各マットスイッチの辺部内にその両側を挟み込む状態で内蔵したことを特徴とするマットスイッチの継目感知構造。
【請求項６】
各々複数の感知素子を間隔を隔て列設状態で内蔵した４枚のマットスイッチを接合しつつ並設した状態で生じる各マットスイッチ同士の辺部又は隣り合う４個の隅部の接合部分における継目領域に外部から作用する外力を感知するマットスイッチの継目感知構造であって、
前記各マットスイッチ同士の辺部の継目領域上から作用する外力をこの継目領域近傍に位置する各マットスイッチの感知素子に伝達する複数種の寸法の中から選定される分割配置の複数の外力作用部材を、前記継目領域の両側の各マットスイッチの辺部内にその両側を挟み込み粘着状態で内蔵するとともに、
隣り合う４個の隅部の接合部分における継目領域上から作用する外力を、前記４個の隅部の接合部分近傍に位置する各マットスイッチの感知素子に伝達する複数種の寸法の中から選定される隅部外力作用部材を前記４個の隅部内に四方から挟み込み粘着状態で内蔵したことを特徴とするマットスイッチの継目感知構造。
【請求項７】
各々複数の感知素子を間隔を隔て列設状態で内蔵した３枚のマットスイッチを接合しつつ並設した状態で生じる各マットスイッチ同士の辺部又は２枚のマットスイッチの隅部と１枚のマットスイッチの辺部との接合部分における継目領域に外部から作用する外力を感知するマットスイッチの継目感知構造であって、
前記各マットスイッチ同士の辺部の継目領域上から作用する外力をこの継目領域近傍に位置する各マットスイッチの感知素子に伝達する複数種の寸法の中から選定される分割配置の複数の外力作用部材を、前記継目領域の両側の各マットスイッチの辺部内にその両側を挟み込み粘着状態で内蔵するとともに、
２枚のマットスイッチの隅部と１枚のマットスイッチの辺部との接合部分における継目領域に外部から作用する外力をこの接合部分の近傍に位置する各マットスイッチの感知素子に伝達する複数種の寸法の中から選定される隅部外力作用部材を前記接合部分を形成する２枚のマットスイッチの隅部と１枚のマットスイッチの辺部とで三方から挟み込み粘着状態で内蔵したことを特徴とするマットスイッチの継目感知構造。
【請求項８】
各々複数の感知素子を間隔を隔て列設状態で内蔵した複数枚のマットスイッチを接合しつつ並設した状態で生じる各マットスイッチ同士の継目領域に外部から作用する外力を感知するマットスイッチの継目感知構造であって、
前記各マットスイッチの継目を形成する各辺部同士を重合状態で接合して各マットスイッチの辺部近傍の感知素子を相互に段差をもって継目領域内部で近接させ、前記継目領域上に作用する外力に対する一方のマットスイッチの不感領域を、他方のマットスイッチの辺部近傍の感知素子による感知領域により補完するようにしたことを特徴とするマットスイッチの継目感知構造。
【請求項９】
各々複数の感知素子を間隔を隔て列設状態で内蔵した２枚のマットスイッチを接合しつつ並設した状態で生じる各マットスイッチ同士の継目領域に外部から作用する外力を感知するマットスイッチの継目感知構造であって、
前記２枚のマットスイッチの継目を形成する各辺部同士を、一方を上段、他方を下段となる配置で重合状態で接合して２枚のマットスイッチの辺部近傍の感知素子を相互に段差をもって継目領域内部で近接させ、前記継目領域上に作用する外力に対する一方のマットスイッチの辺部の不感領域を、他方のマットスイッチの辺部近傍の感知素子による感知領域により補完するようにしたことを特徴とするマットスイッチの継目感知構造。
【発明の詳細な説明】
【技術分野】
【０００１】
本発明は、マットスイッチの継目感知構造に関し、詳しくは、長尺スイッチのような感知素子を内蔵した複数枚のマットスイッチを接合しつつ並設した場合の辺部同士又は隅部同士による不感知領域における外力の検出感度を、マットスイッチ本来の検出感度と同等とし得るマットスイッチの継目感知構造に関するものである。
【背景技術】
【０００２】
例えば２枚のマットスイッチを接合しつつ並設した場合の両者の隣り合う辺部境界には、２枚のマットスイッチ各々の不感知部の存在により、やや幅の広い帯状の不感知領域が生じる。
このため、帯状の不感知領域の上を不特定人が歩行し、マットスイッチにより警護されている特定エリアに当該不特定人がマットスイッチをオンさせることなく進入してしまうという不都合な事態が発生する。３枚以上のマットスイッチを接合しつつ並設した場合も同様である。
【０００３】
複数枚のマットスイッチを接合しつつ並設して例えば特定の部屋等に関する警護領域を構成した場合、従来においてもマットスイッチ同士の境界における不感知領域を極力低減すべく、不特定人の歩行を感知するための長尺の金属又は硬質プラスチック製からなる不感知領域低減用の渡り金具を配置する試みもなされている。
しかし、従来の渡り金具を採用した構成の場合、マットスイッチの辺部又は隅部以外の感知部の感度に対して、渡り金具を配置した領域の感度を同等にすることは困難であった。
【０００４】
また、従来の渡り金具を採用した構成の場合、その施工方法は、前記渡り金具を警護領域の床に固定した後、マットスイッチの組み込みを行ったり、逆にマットスイッチを設置した後渡り金具を取り付けたりするものであり、いずれにしても床工事が必要で煩雑なものであった。
【０００５】
更に、マットスイッチの外形寸法は、設置環境に対応させるため様々であり、個々のマットスイッチの寸法に合わせて長尺の渡り金具を切り出すことが必要であった。
【０００６】
特許文献１には、基材部、スイッチ素子、剛体板を組み合わせ、乗用車等の重量検出を行う構成のマットスイッチが提案されている。
【０００７】
しかし、特許文献１の場合、複数枚のマットスイッチを接合しつつ並設することを目的とするものではなく、また、現状では上述したマットスイッチ同士の辺部又は隅部以外の感知部の感度に対して、渡り金具を配置した領域の感度を同等とするための適切な技術が見当たらないのが実情である。
【特許文献１】特開２００２−１０９９９３号公報
【発明の開示】
【発明が解決しようとする課題】
【０００８】
本発明が解決しようとする問題点は、複数枚のマットスイッチの並設した場合の辺部同士又は隅部同士による不感知領域の人等に対する検出感度を、マットスイッチ本来の検出感度と同等とすることができ、また、格別の床工事や、マットスイッチの外形寸法に対応させるための長尺の金属部材等からの切り出しが不要な簡略構造からなるマットスイッチの継目感知構造が存在しない点である。
【課題を解決するための手段】
【０００９】
本発明は、各々複数の感知素子を間隔を隔て列設状態で内蔵した複数枚のマットスイッチを接合しつつ並設した状態で生じる各マットスイッチ同士の継目領域に外部から作用する外力を感知するマットスイッチの継目感知構造であって、前記各マットスイッチ同士の継目領域を中央にしてその両側に延在され、継目領域近傍に位置する各マットスイッチの感知素子に前記外部からの外力を伝達する分割配置の複数の外力作用部材を備えたことを最も主要な特徴とする。
【発明の効果】
【００１０】
請求項１記載の発明によれば、複数枚のマットスイッチ同士の継目領域に、外部からの外力を伝達する分割配置の複数の外力作用部材を備え、前記外力作用部材により継目領域近傍に位置する各マットスイッチの感知素子に外力を伝達するようにしたものであるから、継目領域の外力に対する検出感度を、感知素子が存在する領域の外力に対する検出感度と同等とすることができ、これにより不審者等に対する防護機能を高めることができるマットスイッチの継目感知構造を提供できる。
【００１１】
請求項２記載の発明によれば、請求項１記載の発明の構成に加え、複数の外力作用部材同士を連結する連結部材と、連結部材をマットスイッチの周辺部で固定する固定部材と、を備えるので、請求項１記載の発明の効果を奏するとともに複数の外力作用部材を定位置に維持しつつ簡略に複数枚のマットスイッチを並設状態で目的箇所に設置でき、格別の床加工処理が不要となり、施工の簡略化を図ることができる。
【００１２】
請求項３記載の発明によれば、４枚のマットスイッチを並設状態した構成で、継目領域の外力に対する検出感度を、感知素子が存在する領域の外力に対する検出感度と同等とし、また、４個の隅部の領域の外力に対する検出感度を、感知素子が存在する領域の外力に対する検出感度と同等とすることもでき、不審者等に対する防護機能を高めることができるマットスイッチの継目感知構造を提供できる。また、格別の床加工処理が不要となるとともに、各種寸法のマットスイッチに対応する寸法の外力作用部材、隅部外力作用部材を選定し又は組み合わせて使用することで外力作用部材等の切り出しが不要となり、施工の簡略化を図ることができるマットスイッチの継目感知構造を提供できる。
【００１３】
請求項４記載の発明によれば、３枚のマットスイッチを並設状態した構成で、請求項３記載の発明と同様、不審者等に対する防護機能を高めることができ、また格別の床加工処理や、外力作用部材等の切り出しが不要で施工の簡略化を図ることができるマットスイッチの継目感知構造を提供できる。
【００１４】
請求項５記載の発明によれば、複数枚のマットスイッチ同士の継目領域上から作用する外力をこの継目領域近傍に位置する各マットスイッチの感知素子に伝達する分割配置の複数の外力作用部材を、継目の両側の各マットスイッチの辺部内にその両側を挟み込む状態で内蔵したものであるから、内蔵した分割配置の複数の外力作用部材により、継目領域の外力に対する検出感度を、感知素子が存在する領域の外力に対する検出感度と同等とすることができ、これにより不審者等に対する防護機能を高めることができるマットスイッチの継目感知構造を提供できる。
【００１５】
請求項６記載の発明によれば、請求項３記載の発明の場合と同様に、４枚のマットスイッチを並設状態した構成で、内蔵した分割配置の複数の外力作用部材により、継目領域の外力に対する検出感度を、感知素子が存在する領域の外力に対する検出感度と同等とし、また、内蔵した隅部外力作用部材により、４個の隅部における領域の外力に対する検出感度を、感知素子が存在する領域の外力に対する検出感度と同等とすることもでき、不審者等に対する防護機能を高めることができるマットスイッチの継目感知構造を提供できる。また、格別の床加工処理が不要となるとともに、各種寸法のマットスイッチに対応する寸法の外力作用部材、隅部外力作用部材を選定し又は組み合わせて使用することで外力作用部材等の切り出しが不要となり、施工の簡略化を図ることができるマットスイッチの継目感知構造を提供できる。
【００１６】
請求項７記載の発明によれば、３枚のマットスイッチを並設状態した構成で、請求項６記載の発明と同様、不審者等に対する防護機能を高めることができ、また格別の床加工処理や、外力作用部材等の切り出しが不要で施工の簡略化を図ることができるマットスイッチの継目感知構造を提供できる。
【００１７】
請求項８記載の発明によれば、複数枚のマットスイッチ同士の継目の周辺における継目領域の外力に対する検出感度を、マットスイッチの中央部分等における外力に対する検出感度と同等とすることができ、継目領域を歩行する例えば不審者等に対する防護機能を高めることができ、また、辺部同士の重合構造を採用したことにより、目的箇所に簡略に設置でき、従来例のような格別の床加工処理、更には煩雑な渡り金具の切り出し処理が不要となり、施工の簡略化を図ることができるマットスイッチの継目感知構造を提供できる。
【００１８】
請求項９記載の発明によれば、枚のマットスイッチ同士を並設した構成で、継目の周辺の継目領域の外力に対する検出感度を、マットスイッチの中央部分等における外力に対する検出感度と同等とすることができ、継目領域を歩行する例えば不審者等に対する防護機能を高めることができ、また、辺部同士の重合構造を採用したことにより、目的箇所に簡略に設置でき、従来例のような格別の床加工処理、更には煩雑な渡り金具の切り出し処理が不要となり、施工の簡略化を図ることができるマットスイッチの継目感知構造を提供できる。
【発明を実施するための最良の形態】
【００１９】
複数枚のマットスイッチの並設した場合の辺部同士又は隅部同士による不感知領域の人等に対する検出感度を、マットスイッチ本来の検出感度と同等とすることができ、また、格別の床工事や、マットスイッチの外形寸法に対応させるための長尺の金属部材等からの切り出しが不要なマットスイッチの継目感知構造を提供するという目的を、各々複数の感知素子を間隔を隔て列設状態で内蔵した４枚のマットスイッチを接合しつつ並設した状態で生じる各マットスイッチ同士の辺部又は隣り合う４個の隅部の接合部分における継目領域に外部から作用する外力を感知するマットスイッチの継目感知構造であって、前記各マットスイッチ同士の辺部の継目領域を中央にしてその両側に延在され、継目領域近傍に位置する各マットスイッチの感知素子に前記外部からの外力を伝達する複数種の寸法の中から選定される分割配置の複数の外力作用部材と、複数の外力作用部材同士を連結する連結部材と、前記各マットスイッチ同士の４個の隅部の接合部分の上部に配置され、４個の隅部の接合部分近傍に位置する各マットスイッチの感知素子に前記外部からの外力を伝達するとともに、前記連結部材の一端側を固定する複数種の寸法の中から選定される隅部外力作用部材と、前記連結部材をマットスイッチの周辺部で固定する固定部材と、を備えた構成により実現した。
【実施例】
【００２０】
以下に、本発明の実施例に係るマットスイッチの継目感知構造について図面を参照して詳細に説明する。
【００２１】
（実施例１）
図１乃至図５を参照して本発明の実施例１に係るマットスイッチ１の継目感知構造について説明する。
本実施例１に係るマットスイッチ１の継目感知構造は、図１、図２に示すように、例えば、各々複数の公知の長尺スイッチからなる感知素子２を間隔を隔て列設（例えば５個＋１個）状態で内蔵した４枚の平面長方形状のマットスイッチ１を、各々の辺部同士を接合し４個の隅部が一箇所で突き合わせ状態になるように並設する使用態様に適用するものである。
【００２２】
すなわち、各マットスイッチ１を並設した状態で生じるこれらのマットスイッチ１同士の辺部又は隣り合う４個の隅部の接合部分における継目領域に外部から作用する外力を、前記辺部上に配置した分割配置の複数の外力作用部材３又は前記４個の隅部上に配置した隅部外力作用部材４を用いて前記継目領域近傍に位置する各マットスイッチ１の感知素子２に伝達し、感知素子２が存在しないため不感知領域となる前記継目領域の外力に対する検出感度を、前記感知素子２が存在する領域の外力に対する検出感度と同等としたものである。
【００２３】
本実施例１に係るマットスイッチ１の継目感知構造は、前記外力作用部材３及び隅部外力作用部材４と、前記複数の外力作用部材３同士を貫通状態で連結する例えば一対のワイヤからなる連結部材５と、マットスイッチ１の周辺部に添設され、前記連結部材５の周辺側端部をマットスイッチ１の周辺部で例えばネジ止め等で固定する目地枠からなる固定部材６とを有している。
【００２４】
また、前記連結部材５の中央部側端部（４個の隅部側の端部）を、前記隅部外力作用部材４に固着し、これにより、前記各連結部材５の位置ずれを防止しつつ設定位置に保持するように構成している。
【００２５】
前記外力作用部材３は、平面形状が長方形状で、前記各マットスイッチ１同士の辺部同士の接合により形成される継目７を中央にして、この継目７と直交する方向に延在するように配置されるようになっている。
【００２６】
また、前記外力作用部材３は、図２に示すように、上面側が弧状に形成されるとともに、両端下面に隣り合うマットスイッチ１の前記継目領域近傍に位置する各感知素子２上を占める位置に添設させる感知素子押圧部３ａが形成され、更に、下面中央部には前記継目７を跨ぐような凹陥部３ｂが形成されている。
【００２７】
前記外力作用部材３の長さｔは、例えば５２ｍｍ、５５ｍｍ、５８ｍｍ等複数種の寸法設定とされ、寸法が異なる複数種のマットスイッチ１に対応できるようにしている。
【００２８】
前記隅部外力作用部材４は、薄型直方体状に形成され、その下面四隅部に、４枚のマットスイッチ１における４個の隅部近傍に位置する各感知素子２のいずれかに、この隅部外力作用部材４上に作用する外力を伝達する感知素子押圧部４ａを設けている。また、前記隅部外力作用部材４も寸法が異なる複数種のマットスイッチ１に対応できるように複数種の寸法設定としている。
【００２９】
前記連結部材５としては、前記ワイヤを用いる他、図３に示すように、例えばゴム板等からなる弾性板５ａを用いることもできる。
【００３０】
上述した継目感知構造を構成する各要素の上面側には、図２に点線で示す各マットスイッチ１の上面保護層８で覆われ、外観上各マットスイッチ１の上面は略平面を呈するように構成している。
【００３１】
なお、本実施例１に係る４枚のマットスイッチ１の連結構造、電気回路は、後述する実施例２の場合と同様である。
【００３２】
上述した本実施例１に係るマットスイッチ１の継目感知構造によれば、例えば、前記４枚のマットスイッチ１同士の継目７の両側を占める帯状の継目領域上のいずれかの箇所を例えば人が歩き、人の靴等からの外力が作用するとき、前記継目領域に配置した分割配置の複数の外力作用部材３のいずれかが撓み、これにより、前記継目領域近傍に位置する各マットスイッチ１の感知素子２のいずれかに外力が伝達されて、当該感知素子２がオン状態となる。
【００３３】
この結果、感知素子２が存在しないため不感知領域となる前記継目領域の外力に対する検出感度を、前記感知素子２が存在する領域の外力に対する検出感度と同等とすることができ、例えば不審者等に対する防護機能を高めることができる。
【００３４】
同様に、４個の隅部上に配置した前記隅部外力作用部材４上に人の靴等からの外力が作用するとき、隅部外力作用部材４が撓み、感知素子押圧部４ａを介して４個の隅部近傍に位置する各感知素子２のいずれかに外力が伝達されて、当該当該感知素子２がオン状態となるので、４個の隅部の領域の外力に対する検出感度を、前記感知素子２が存在する領域の外力に対する検出感度と同等とすることができ、例えば不審者等に対する防護機能を高めることができる。
【００３５】
また、本実施例１のマットスイッチ１の継目感知構造によれば、上述したように、連結部材５を用いて各外力作用部材３を連結するとともに、隅部外力作用部材４及び固定部材６を用いて外力作用部材３を固定配置とするので、従来例のような格別の床加工処理が不要となり、施工の簡略化を図ることができる。
【００３６】
更に、本実施例１に係るマットスイッチ１の継目感知構造によれば、外力作用部材３の長さｔを、例えば５２ｍｍ、５５ｍｍ、５８ｍｍ等複数種の寸法設定とし、隅部外力作用部材４の寸法も複数種の寸法設定としているので、各種寸法のマットスイッチ１に対応する寸法の外力作用部材３、隅部外力作用部材４を選定し又は組み合わせて継目感知構造を構成でき、従来例のようなマットスイッチ１の寸法毎に外力作用部材を切り出す煩雑さが無くなり、この点からも施工の簡略化を図ることができる。
【００３７】
次に、図４、図５を参照して、本実施例１の変形例について説明する。
図４に示すマットスイッチ１の継目感知構造は、上述した図１に示す継目感知構造と基本的には同様な構成であるが、３枚のマットスイッチ１の継目領域に適用したことが特徴である。
【００３８】
すなわち、図４に示すように、本実施例１の変形例においては、２枚のマットスイッチ１を縦長配置に接合するとともに、この２枚のマットスイッチ１の図４において上辺側に１枚のマットスイッチ１を横長配置に連結し、継目７を中央にしてその両側に延在するように前記外力作用部材３を既述した場合と同様に分割配置に複数個配置し、更に、２枚のマットスイッチ１の隅部と１枚のマットスイッチ１の辺部との接合部分の上部に、隅部外力作用部材１１を配置している。
また、本実施例１の変形例においては、既述した図１、図２に示す場合と同様、前記複数の外力作用部材３同士を貫通状態で連結する例えば一対のワイヤからなる連結部材５と、マットスイッチ１の周辺部に添設され、前記連結部材５の周辺側端部をマットスイッチ１の周辺部で例えばネジ止め等で固定する目地枠からなる固定部材６とを有している。
【００３９】
前記隅部外力作用部材１１は、図５に示すように、平面形状が略Ｔ状に形成され、その下面側に、前記縦長配置の２枚のマットスイッチ１の各隅部近傍に位置する各感知素子２に外力を伝達する感知素子押圧部１１ａ、１１ｂ、及び前記横長配置の１枚のマットスイッチ１の辺部近傍位置する感知素子２に外力を伝達する感知素子押圧部１１ｃを設けている。
【００４０】
このような構成の本実施例１の変形例に係る継目感知構造によっても、３枚のマットスイッチ１に適用した構成で図１に示す継目感知構造の場合と同様、継目領域における外力に対する検出感度を、前記感知素子２が存在する領域の外力に対する検出感度と同等とすることができ、例えば不審者等に対する防護機能を高めることができる。
【００４１】
また、変形例に係る継目感知構造の場合も、既述した場合と同様、従来例のような格別の床加工処理が不要となり、施工の簡略化を図ることができるとともに、外力作用部材３の長さｔを、複数種の寸法設定とすることで、従来例のようなマットスイッチ１の寸法毎に外力作用部材を切り出す煩雑さが無くなり、この点からも施工の簡略化を図ることができる。
【００４２】
（実施例２）
図６乃至図１１を参照して本発明の実施例２に係るマットスイッチの継目感知構造について説明する。
【００４３】
本実施例２に係るマットスイッチの継目感知構造は、基本的には実施例１の継目感知構造と略同様な構成であり、同一の要素には同一の符号を付して示す。
【００４４】
本実施例２のマットスイッチの継目感知構造も、実施例１の場合と同様、例えば、各々複数の公知の長尺スイッチからなる感知素子２を間隔を隔て列設（例えば５個＋１個）状態で内蔵した４枚の平面長方形状のマットスイッチ１を、各々の辺部同士を接合し４個の隅部が一箇所で突き合わせ状態になるように並設する使用態様に適用するものである。
【００４５】
そして、感知素子２が存在しないため不感知領域となる継目７の領域の外力に対する検出感度を、前記感知素子２が存在する領域の外力に対する検出感度と同等としたものである。
【００４６】
本実施例２に係るマットスイッチの継目感知構造は、図６、図７に示すように、前記各マットスイッチ１同士の辺部の継目７を中央とする継目領域上から作用する外力を、この継目領域近傍に位置する各マットスイッチ１の感知素子２に伝達する分割配置の複数の外力作用部材２１を、前記継目領域における両側の各マットスイッチ１の辺部内にその両側を挟み込み粘着状態で内蔵している。前記外力作用部材２１の内蔵個数は、図７に示すように、各マットスイッチ１の長辺側では例えば５ｍｍ間隔で６個、短辺側では例えば３ｍｍ間隔で２個又は３個としている。
【００４７】
また、本実施例２に係るマットスイッチの継目感知構造は、隣り合う４個の隅部の接合部分における継目領域上から作用する外力を、前記４個の隅部の接合部分近傍に位置する各マットスイッチ１の感知素子２に伝達する複数種の寸法の中から選定される平面正方形状の隅部外力作用部材２２を前記４個の隅部内に四方から挟み込み粘着状態で内蔵している。隅部外力作用部材２２の上面には、位置決め用のけがき線２２ａを付している。
【００４８】
前記外力作用部材２１は、平面長方形状に形成され、実施例１の場合と同様、各種寸法のマットスイッチ１に対応するように、その長さｔ１を、例えば１２５ｍｍ、１３０ｍｍ、１３５ｍｍ等複数種の寸法設定とし、これらの中から選定するようにしている。また、外力作用部材２１の上面には、粘着テープ（紙テープ付き）が貼られ、マットスイッチ１の内部に粘着状態で挟み込まれるようになっている。
【００４９】
前記隅部外力作用部材２２は、例えば図９に示すようにその寸法ｔ２の一例を１３０ｍｍ×１３０ｍｍとしている。また、隅部外力作用部材２２の上面にも、粘着テープ（紙テープ付き）が貼られ、各マットスイッチ１の内部に粘着状態で四方から挟み込まれるようになっている。
【００５０】
前記４枚のマットスイッチ１の外周には、これらを囲むように実施例１の場合と同様な固定部材６を配置している。
【００５１】
次に、図８を参照して、２枚のマットスイッチ１の接合部に対する外力作用部材２１の挟み込み状態について具体的に説明する。
前記マットスイッチ１は、図８に示すように、ゴム板材からなる基体３１上に、感知素子２を配置し、この感知素子２の上部を薄いポリカーポネイト材３３、ニトリルゴム等からなるゴム板材からなる上部層３２を配置し、更に、上部層３２の上部をゴム板材からなる上面保護層８で覆う構造としている。
そして、前記上部層３２と上面保護層８との間に前記外力作用部材２１の片側半分を挿入し、この外力作用部材２１の上面に貼った粘着テープの粘着力により継目７の部分を中央にして２枚のマットスイッチ１の辺部領域の内部に各々粘着状態で挟み込まれるようになっている。
【００５２】
次に、図１０、図１１を参照して、前記４枚のマットスイッチ１相互の連結構造及び電気回路の概略構成について説明する。
【００５３】
前記４枚のマットスイッチ１に関して、図１０においてマットスイッチ１Ａ乃至１Ｄと定義して説明する。４枚のマットスイッチ１Ａ乃至１Ｄの内、図１０において左上のマットスイッチ１Ａには、図示しない信号処理部と接続されるケーブル５１が設けられているとともに、マットスイッチ１Ａ内の各感知素子２は並列接続されて、各感知素子２が外力に応答したときケーブル５１を介して信号処理部にオン信号を送出するようになっている。他のマットスイッチ１Ｂ乃至１Ｄ内の各感知素子２も並列接続されている。
【００５４】
また、図１０において、左上のマットスイッチ１Ａの下辺隅部に設けた凹陥部には上流側コネクタ４１が、左下のマットスイッチ１Ｂの上辺隅部に設けた凹陥部には前記上流側コネクタ４１と接続される下流側コネクタ４２が設けられている。
【００５５】
更に、図１０において、左下のマットスイッチ１Ｂの右辺隅部に設けた凹陥部には右下のマットスイッチ１Ｃとの接続用の上流側コネクタ４３が、右下のマットスイッチ１Ｃの左辺隅部に設けた凹陥部には上流側コネクタ４３と接続される下流側コネクタ４４が設けられている。右下のマットスイッチ１Ｃの上辺隅部に設けた凹陥部には右上のマットスイッチ１Ｄとの接続用の上流側コネクタ４５が設けられている。
【００５６】
更にまた、図１０において、右上のマットスイッチ１Ｄの下辺隅部に設けた凹陥部には右下のマットスイッチ１Ｄの上流側コネクタ４５と接続される下流側コネクタ４６が設けられている。
【００５７】
このように前記４枚のマットスイッチ１Ａ乃至１Ｄは、合計６個のコネクタ接続により電気的に接続され、これらに内蔵したいずれかの感知素子２が外力に応答したとき、前記ケーブル５１を介して信号処理部にオン信号を送出するようになっている。
【００５８】
図１１は、前記４枚のマットスイッチ１Ａ乃至１Ｄの電気回路の概略構成を示すものであり、いずれも赤色、緑色、白色及び黒色の被覆を施した４線構造となっている。
【００５９】
本実施例２のマットスイッチ１の継目感知構造によれば、例えば、前記４枚のマットスイッチ１同士の継目７の両側を占める帯状の継目領域上のいずれかの箇所を例えば人が歩き、人の靴等からの外力が作用するとき、前記継目領域に内部配置した分割配置の複数の外力作用部材２１のいずれかが撓み、これにより、前記継目領域近傍に位置する各マットスイッチ１の感知素子２のいずれかに外力が伝達されて、当該感知素子２がオン状態となる。
【００６０】
この結果、実施例１の場合と同様、感知素子２が存在しないため不感知領域となる前記継目領域の外力に対する検出感度を、前記感知素子２が存在する領域の外力に対する検出感度と同等とすることができ、例えば不審者等に対する防護機能を高めることができる。
【００６１】
同様に、４個の隅部上に配置した前記隅部外力作用部材２２上に人の靴等からの外力が作用するとき、隅部外力作用部材４が撓み、感知素子押圧部４ａを介して４個の隅部近傍に位置する各感知素子２のいずれかに外力が伝達されて、当該当該感知素子２がオン状態となるので、実施例１の場合と同様、４個の隅部の領域の外力に対する検出感度を、前記感知素子２が存在する領域の外力に対する検出感度と同等とすることができ、例えば不審者等に対する防護機能を高めることができる。
【００６２】
また、本実施例２のマットスイッチ１の継目感知構造によれば、上述したように、外力作用部材２１及び隅部外力作用部材４を４枚のマットスイッチ１内に内蔵する構成であるため、従来例のような格別の床加工処理が不要となり、施工の簡略化を図ることができる。
【００６３】
更に、本実施例２に係るマットスイッチ１の継目感知構造によれば、外力作用部材２１及び隅部外力作用部材２２の長さを複数種の寸法設定としているので、各種寸法のマットスイッチ１に対応する寸法の外力作用部材２１や隅部外力作用部材２２を選定し又は組み合わせて継目感知構造を構成でき、従来例のようなマットスイッチ１の寸法毎に外力作用部材を切り出す煩雑さが無くなり、この点からも施工の簡略化を図ることができる。
【００６４】
なお、本実施例２においても、実施例１の場合と同様な３枚のマットスイッチ１を並設した場合に適用する変形例を構成することができ、この場合においても、上述した場合と同様、継目領域の検出感度を、前記感知素子２が存在する領域の外力に対する検出感度と同等とすることができ、例えば不審者等に対する防護機能を高めることができるとともに、従来例のような格別の床加工処理が不要で、外力作用部材を切り出す煩雑さも無くなる。
【００６５】
（実施例３）
図１２、図１３を参照して本発明の実施例３に係るマットスイッチの継目感知構造について説明する。
【００６６】
本実施例３に係るマットスイッチの継目感知構造は、図１２、図１３に示すように、２枚のマットスイッチ１、１の継目７を形成する各辺部同士を、一方を上段、他方を下段となる配置で重合状態で接合し、２枚のマットスイッチ１、１の辺部近傍の感知素子２、２を相互に段差をもって継目領域内部で近接させたことが特徴である。
【００６７】
更に詳述すると、本実施例３に係るマットスイッチの継目感知構造は、図１２、図１３において、相互に重合させる左側のマットスイッチ１の一方の辺部下側を他の部分よりも薄く形成し、右側のマットスイッチ１の対向する辺部上側を他の部分よりも薄く形成して、左側のマットスイッチ１の辺部下側と、右側のマットスイッチ１の辺部上側を重合状態で接合したものである。
【００６８】
左右両側のマットスイッチ１の基本的構成は、既述した場合と同様であるが、左側のマットスイッチ１の重合部分Ａに感知素子２が配置され、また、右側のマットスイッチ１の重合部分Ｂにも感知素子２が配置されている。
【００６９】
そして、図１２、図１３に示すように、左側のマットスイッチ１の重合部分Ａに配置した感知素子２は、右側のマットスイッチ１の重合部分Ｂにおける不感領域Ｄの上に、右側のマットスイッチ１の重合部分Ｂに配置した感知素子２は、左側のマットスイッチ１の重合部分Ａにおける不感領域Ｃの下に位置するように構成している。
【００７０】
図１２、図１３に示す各マットスイッチ１の基本的構成は、ゴム板材からなる基体３１上に、感知素子２を配置し、この感知素子２の上部に薄いポリカーポネイト材３３を配置し、更に上面をゴム板材からなる上面保護層８で覆い、周辺部に固定部材６を配置したものとなっている。
【００７１】
本実施例３に係るマットスイッチの継目感知構造によれば、上述した構成としたことにより、継目７の部分に生じる両マットスイッチ１、１双方の各辺部の不感領域を、各々の重合部分Ａ又はＢに配置した感知素子２による感知領域により補完し、継目７の周辺の継目領域の外力に対する検出感度を、マットスイッチ１、１の中央部分等における外力に対する検出感度と同等とすることができ、これにより、継目領域を歩行する例えば不審者等に対する防護機能を高めることができる。
【００７２】
本実施例３に係るマットスイッチの継目感知構造によれば、上述した辺部同士の重合構造を採用したことにより、図１２に示すような状態で目的箇所に簡略に設置でき、従来例のような格別の床加工処理、更には煩雑な渡り金具の切り出し処理が不要となり、施工の簡略化を図ることができる。
【産業上の利用可能性】
【００７３】
本発明の継目感知構造は、上述した４枚、３枚、２枚のマットスイッチに関して適用する場合の他、更に多数枚のマットスイッチを並設して警護領域を構成する場合等に広範に適用可能である。
【図面の簡単な説明】
【００７４】
【図１】本発明の実施例１に係る継目感知構造を含むマットスイッチ４枚を並設した状態を示す概略平面図である。
【図２】本発明の実施例１に係る継目感知構造における外力作用部材、隅部外力作用部材、連結部材の構成を示す概略斜視図である。
【図３】本発明の実施例１に係る継目感知構造における連結部材の他例を示す概略斜視図である。
【図４】本発明の実施例１の変形例に係る継目感知構造を含むマットスイッチ３枚を並設した状態を示す概略平面図である。
【図５】本発明の実施例１の変形例に係る継目感知構造における隅部外力伝達部材の斜視図である。
【図６】本発明の実施例２に係る継目感知構造を含むマットスイッチ４枚を並設した状態を示す概略平面図である。
【図７】本発明の実施例２に係る継目感知構造の外力作用部材、隅部外力作用部材の配置を示す概略部分平面図である。
【図８】本発明の実施例２に係る継目感知構造の部分拡大断面図である。
【図９】本発明の実施例２に係る継目感知構造の隅部外力作用部材の平面図である。
【図１０】本発明の実施例２に係る継目感知構造を含むマットスイッチ４枚を並設する場合の連結状態を示す分解平面図である。
【図１１】本発明の実施例２に係るマットスイッチ４枚の電気回路の概略説明図である。
【図１２】本発明の実施例３に係る継目感知構造を含むマットスイッチ２枚を並設した状態を示す概略断面図である。
【図１３】本発明の実施例３に係る継目感知構造を示す部分拡大断面図である。
【符号の説明】
【００７５】
１    マットスイッチ
１Ａ  マットスイッチ
１Ｂ  マットスイッチ
１Ｃ  マットスイッチ
１Ｄ  マットスイッチ
２    感知素子
３    外力作用部材
３ａ  感知素子押圧部
３ｂ  凹陥部
４    隅部外力作用部材
４ａ  感知素子押圧部
５    連結部材
５ａ  弾性板
６    固定部材
７    継目
８    上面保護層
１１    隅部外力作用部材
１１ａ  感知素子押圧部
１１ｂ  感知素子押圧部
１１ｃ  感知素子押圧部
２１    外力作用部材
２２    隅部外力作用部材
２２ａ  けがき線
３１    基体
３２    上部層
３３    ポリカーポネイト材
４１    上流側コネクタ
４２    下流側コネクタ
４３    上流側コネクタ
４４    下流側コネクタ
４５    上流側コネクタ
４６    下流側コネクタ
５１    ケーブル
Ａ    重合部分
Ｂ    重合部分
Ｃ    不感領域
Ｄ    不感領域
【図１】
2008159424.tif 000003
【図２】
2008159424.tif 000004
【図３】
2008159424.tif 000005
【図４】
2008159424.tif 000006
【図５】
2008159424.tif 000007
【図６】
2008159424.tif 000008
【図７】
2008159424.tif 000009
【図８】
2008159424.tif 000010
【図９】
2008159424.tif 000011
【図１０】
2008159424.tif 000012
【図１１】
2008159424.tif 000013
【図１２】
2008159424.tif 000014
【図１３】
2008159424.tif 000015